(57)【特許請求の範囲】
【請求項１】
コマ本体と、このコマ本体に形成され、回転の軸となるためのシャフト部材とからなるコマであって、前記シャフト部材の下端部には、コマを直立させて回転させるための直立手段が形成されており、この直立手段は、第１のベアリング支持部材と、ボールベアリングと、第２のベアリング支持部材とから構成されており、前記第１のベアリング支持部材と第２のベアリング支持部材とには、ボールベアリングを受けるための凹部が形成されており、ボールベアリングを回動可能に挟持する様に構成され、前記第１のベアリング支持部材は前記シャフト部材と連結され、前記第２のベアリング支持部材は、接地軸と連結されて、この接地軸は前記シャフト部材と独立して回転可能に構成されており、前記シャフト部材には、アール部が形成されたカバー部材が固定され、前記コマが傾いた場合に、前記アール部と接地面とが当接し、前記コマを直立させることを特徴とするコマ。
【請求項２】
コマ本体は、ボディ部材と、このボディ部材の下部に取り付けられたボトム部材とから構成されている請求項１記載のコマ。
【請求項３】
ボディ部材の上部には、ヘッド部材が取り付けられている請求項２記載のコマ。
【請求項４】
シャフト部材には、サスペンションユニットが連設されている請求項１〜３の何れか１つに記載のコマ。
【発明の詳細な説明】
【０００１】
【産業上の利用分野】
本発明はシャフト部材を有するコマに係わり、特に、コマを直立させて回転させるための直立手段が形成されているコマに関するものである。
【０００２】
【従来の技術】
従来から多種のコマが存在しており、一人で回して遊んだり、ベーゴマ等の様に複数で遊ぶコマが存在していた。
【０００３】
しかしながら上記従来のコマは、伝統的な遊びしかできなく、最近の子供達には不人気であった。
【０００４】
近年では、ラジオコントロール玩具等の様なマニアックな玩具では、完成品を購入するのみではなく、多種のオプション品を購入して性能を向上させたり、自分だけの玩具をもつという喜びを味わっている。
【０００５】
そこで本出願人は、コマを分解、組み立てて性能を向上させたり、オプション品を追加して、自分だけのコマを楽しむことのできるコマを案出し、更に、シャフト部材と連設されたベアリング手段を有するコマを開発し、回転力に優れたコマを実現した。
【０００６】
図７に基づいて従来の、シャフト部材と連設されたベアリング手段を有するコマ１００００の構成を説明する。コマ１００００は、ボディ部材１００と、ヘッド部材２００と、ボトム部材３００と、シャフト部材４００と、サスペンションユニット５００と、ベアリング６００と、アッパーキャップ７００と、シャフトカバー８００とから構成されている。
【０００７】
サスペンションユニット５００とシャフト部材４００との中間に、ベアリング６００が取り付けられており、コマの安定性を向上させることができるという効果がある。
【０００８】
【発明が解決しようとする課題】
しかしながら、シャフト部材と連設されたベアリング手段を有するコマは、地球コマの様に旋回してしまい、斜めに着地すると、そのままの角度で回転し、直立させることができないという問題点があった。
【０００９】
従って、シャフト部材と連設されたベアリング手段を有し、回転力に優れたコマであっても、直立させて回転可能なコマの出現が強く望まれていた。
【００１０】
【課題を解決するための手段】
本発明は上記課題に鑑み案出されたもので、コマ本体と、このコマ本体に形成され、回転の軸となるためのシャフト部材とからなるコマであって、前記シャフト部材の下端部には、コマを直立させて回転させるための直立手段が形成されており、この直立手段は、第１のベアリング支持部材と、ボールベアリングと、第２のベアリング支持部材とから構成されており、前記第１のベアリング支持部材と第２のベアリング支持部材とには、ボールベアリングを受けるための凹部が形成されており、ボールベアリングを回動可能に挟持する様に構成され、前記第１のベアリング支持部材は前記シャフト部材と連結され、前記第２のベアリング支持部材は、接地軸と連結されて、この接地軸は前記シャフト部材と独立して回転可能に構成されており、前記シャフト部材には、アール部が形成されたカバー部材が固定され、前記コマが傾いた場合に、前記アール部と接地面とが当接し、前記コマを直立させることを特徴としている。
【００１２】
そして本発明のコマ本体は、ボディ部材と、このボディ部材の下部に取り付けられたボトム部材とから構成することもできる。
【００１３】
更に本発明のボディ部材の上部に、ヘッド部材を取り付ける構成にすることもできる。
【００１４】
そして本発明のシャフト部材には、サスペンションユニットを連設する構成にすることもできる。
【００１８】
【発明の実施の形態】
以上の様に構成された本発明は、コマ本体と、このコマ本体に形成され、回転の軸となるためのシャフト部材とからなるコマであり、シャフト部材の下端部に形成された直立手段が、コマを直立させて回転させる様になっており、直立手段は、第１のベアリング支持部材と、ボールベアリングと、第２のベアリング支持部材とから構成し、第１のベアリング支持部材と第２のベアリング支持部材とには、ボールベアリングを受けるための凹部を形成し、ボールベアリングを回動可能に挟持する様になっており、第１のベアリング支持部材はシャフト部材と連結し、第２のベアリング支持部材は、接地軸と連結し、接地軸はシャフト部材と独立して回転可能になっており、シャフト部材には、アール部が形成されたカバー部材を固定し、コマが傾いた場合に、アール部と接地面とが当接し、コマを直立させることができる。
【００２０】
そして本発明のコマ本体は、ボディ部材と、このボディ部材の下部に取り付けられたボトム部材とから構成することもできる。
【００２１】
更に本発明のボディ部材の上部に、ヘッド部材を取り付けることもできる。
【００２２】
そして本発明のシャフト部材には、サスペンションユニットを連設することもできる。
【００２６】
【実施例】
【００２７】
本発明の実施例を図面に基づいて説明する。
【００２８】
図１〜図５に基づいて、コマ１０００の構成を説明する。図１のコマ１０００は、ボディ部材１００と、ボトム部材３００と、シャフト部材４００と、サスペンションユニット５００と、アッパーキャップ７００と、直立手段９００とから構成されている。
【００２９】
なお、図２に示す様に、ボディ部材１００の上部にヘッド部材２００を取り付けることもできる。このヘッド部材２００の上面の形状は他のコマ１０００に対して防御の機能を果たし、外周部の形状は他のコマ１０００に対して攻撃の機能を果たす様になっている。そして、ボトム部材３００を省略することもできる。
ボディ部材１００とボトム部材３００とが、コマ本体に該当する。
【００３０】
ボディ部材１００はコマの中心をなすものであり、バランスを考慮して適宜選択組み合わせる様になっている。本実施例のボディ部材１００には、中空部１１０が形成されており、サスペンションユニット５００を挿入可能に構成されている。そしてボディ部材１００には、ボトム部材３００と連結するためのダボ１２０、１２０が形成されている。
【００３１】
従って本実施例のボディ部材１００は、ボトム部材３００と分離連結可能となっており、適宜の部品と、はめ込み式で交換可能となっている。
【００３２】
またボディ部材１００の外周部には、相手のコマ１０００を攻撃するために、エッジ部等を形成することもできる。
【００３３】
ボトム部材３００は、ボディ部材１００の下部に取り付けるもので、円錐形に形成されている。
【００３４】
そしてボトム部材３００には、図４と図５に示す様に、シャフト部材４００とサスペンションユニット５００とを挿入するためのチャンバー３２０が形成されている。このチャンバー３２０は、シャフト部材４００が空転しない様に、本実施例では６角形の断面を有している。チャンバー３２０の断面は、６角形に限ることなく適宜の多角形を採用することができる。
【００３５】
チャンバー３２０は、サスペンションユニット５００と接触する部分を小さくして摩擦の増大を防止することもできる。なお、本実施例の取付ネジ３１０は、チャンバー３２０の上部の外枠部に形成されている。
【００３６】
またボトム部材３００には、重量や、重量バランスを調整するためのウェイトペレット穴３３０、３３０・・・・を形成してもよい。本実施例のウェイトペレット穴３３０、３３０・・・・は、外周部に６個、内周部に３個形成されており、鉛直方向に重ねて２個のペレットを重ねることができるので、最大１２個までペレットを装備させることができる。なお、このウェイトペレット穴３３０、３３０・・・・は、省略することもできる。
【００３７】
シャフト部材４００は軸部材であり、本実施例では、６角ボルトのネジ山を削除した様な形状を有し、交換可能に構成されている。シャフト部材４００は、先端部にオプション品を取り付けることができ、更に、シャフト部材４００全体を適宜の長さのものに交換することができる。シャフト部材４００の長さを交換して調整することにより、コマ１０００の回転時の高さを変更することができる。
【００３８】
図２に示す様に、サスペンションユニット５００は、コマ１０００の落下時や、他のコマ１０００との衝突時に、衝撃を吸収するためのものである。本実施例のサスペンションユニット５００は円筒型となっており、シャフト部材４００に連結されており、弾性復原力の異なるサスペンションユニット５００に交換することにより、適切な衝撃特性を選択することができる。即ちシャフト部材４００は、サスペンションユニット５００の挙動に合わせて、上下に動く様に構成されている。
【００３９】
そして、サスペンションユニット５００をスプリングにすれば、衝撃力を反発力に変換し、コマ１０００を跳ね上げることもできる。
【００４０】
なお、サスペンションユニット５００の上部には、弾性調整ネジ５１０が形成されており、ヘッド部材２００の調整用ネジ山２２０との螺合状態を調整することができる。即ち、ネジを締めればサスペンションユニット５００が固くなり、緩めるとサスペンションユニット５００が柔らかくなる様に構成されている。
【００４１】
図２に示す様に、シャフト部材４００の中間部には、ベアリング６００が取り付けられており、シャフト部材４００は、このベアリング６００を介して連設されている。
【００４２】
なお、後述する直立手段９００にベアリングを使用する場合には、このベアリング６００の機能は直立手段９００に兼ねさせ、ベアリング６００を省略することもできる。
【００４３】
図３に示す様に、シャフト部材４００の下端部には、コマ１０００の旋回を防止し、コマ１０００を直立させて回転させるための直立手段９００が形成されている。直立手段９００は、第１のベアリング支持部材９１０と、ボールベアリング９２０と、第２のベアリング支持部材９３０とから構成されている。第１のベアリング支持部材９１０と第２のベアリング支持部材９３０とには、ボールベアリング９２０を受けるための凹部が形成されており、ボールベアリング９２０を回動可能に挟持する様に構成されている。
【００４４】
第１のベアリング支持部材９１０は、シャフト部材４００に連結されており、本実施例では、シャフト部材４００とカバー部材９４０とも固定されている。
【００４５】
カバー部材９４０の下端部には、アール部９４１が形成されており、コマ１０００が斜めに傾いて接地した場合でも、接地面とアール部９４１とが当接し、コマ１０００を直立させることができる。
【００４６】
第２のベアリング支持部材９３０は、接地軸９５０と連結されており、シャフト部材４００と独立して回転可能に構成されている。
【００４７】
ここで、直立手段９００について若干説明する。
【００４８】
図７に示す様な従来のコマ１００００は、傾いて接地した場合には、ジャイロ効果により、傾いた状態を維持して回転する。
【００４９】
本実施例の様な直立手段９００が備わっていると、コマ１０００が斜めに傾いて接地した場合でも、接地面とアール部９４１とが当接している間、コマ１０００は直立しようとする現象が生じる。そしてコマ１０００が直立すると、接地軸９５０のみが接地し、安定して回転し続ける様になる。
【００５０】
以上の様に構成された直立手段９００は、シャフト部材４００と接地軸９５０とが、ボールベアリング９２０を介して連結されているので、接地による摩擦抵抗を減少させ、コマ１０００全体の回転をスムースにすることができる。
【００５１】
なお接地軸９５０は、適宜の手段により、長さを調節することができる。
【００５２】
なお図２に示す様に、ヘッド部材２００には、ボトム部材３００に固定するための固定ネジ２１０が形成されており、更に、内部には、サスペンションユニット５００の弾性復原力を調整するための調整用ネジ山２２０が切られている。
【００５３】
ヘッド部材２００の固定ネジ２１０は、ボトム部材３００と螺合することにより、ボディ部材１００を挟んで、ヘッド部材２００とボトム部材３００とを固定することができる。
【００５４】
このヘッド部材２００は、他のコマ１０００と衝突する部分であるので、他のコマを弾くためのパーツを付加することもできる。なお、各パーツは、重量密度を大きい材質を採用すると、慣性モーメントが大きくなり、回転力が増大すると共に、遠心力も増加する。
【００５５】
そして本実施例のボディ部材１００は、ヘッド部材２００とボトム部材３００と、分離連結可能となっており、適宜の部品と、はめ込み式で交換可能となっている。
【００５６】
また本実施例は、ボディ部材１００とヘッド部材２００とを、一体に形成することもできる。
【００５６】
アッパーキャップ７００は、シャフト部材４００の先端部に形成されたネジ部と螺合させて固定するものである。アッパーキャップ７００を取り外し、ヘッド部材２００の調整用ネジ山２２０を利用して、サスペンションユニット５００の弾性復原力を調整したり、ひもを引っかけるパーツ等のオプション品を取り付けることができる。
【００５７】
また図６に示す様に、ボディ部材１００の側部に紐を巻き付けるための溝部１３０を形成することもできる。この溝部１３０に紐を巻き付ければ、初心者でも容易にコマ１０００を回すことができる。
【００５８】
次に代表的なオプションパーツを説明する。
【００５９】
ボディ部材１００には、スパイク付きのリングを取り付けることもできる。このスパイク付きのリングにより、相手のコマ１０００にダメージを与えることができる。
【００６０】
またボディ部材１００に、アームリングを取り付けることができる。遠心力によりアームが飛び出し、相手のコマ１０００からの攻撃による衝撃を吸収することができる。
【００６１】
更に、重量を増加させるリングで、高いジャイロ効果を発揮させることもできる。
【００６２】
ヘッド部材２００には、ゴム等のカバーを付加し、相手のコマ１０００からの攻撃による衝撃を吸収することができる。更に、傘型のアーマーを取り付けたり、使用者がパテ等で好みの形状にすることのできるフラットベースタイプのヘッド部材２００を用意することもできる。
【００６３】
ボトム部材３００には、挿入するウェイトペレットとして、金属や、加工の容易な木材等の素材を用意することもできる。
【００６４】
シャフト部材４００には、テフロン加工のものを使用することもできる。
【００６５】
サスペンションユニット５００は、スプリングの他に、オイルダンパーや空気式のダンパー等も用意することができる。
【００６６】
以上の様に構成された本実施例のコマ１０００は、自由に回したり、自分の手の上で回転させることもできる。
【００６７】
更に、遊び相手のコマ１０００と衝突させて遊ぶこともできる。特に、アリーナ内から外に、相手のコマ１０００を落としたり、倒したりすることができる。
【００６８】
そして、複数の人数で、団体戦を行うことも可能である。
【００６９】
これらのコマ遊びを行う際、各種のパーツを交換してチューニングすることができるので、多くのテクニックを駆使することができ、創造性豊かな遊びを提供することができる。
【００７０】
【効果】
以上の様に構成された本発明は、コマ本体と、このコマ本体に形成され、回転の軸となるためのシャフト部材とからなるコマであって、前記シャフト部材の下端部には、コマを直立させて回転させるための直立手段が形成されており、この直立手段は、第１のベアリング支持部材と、ボールベアリングと、第２のベアリング支持部材とから構成されており、前記第１のベアリング支持部材と第２のベアリング支持部材とには、ボールベアリングを受けるための凹部が形成されており、ボールベアリングを回動可能に挟持する様に構成され、前記第１のベアリング支持部材は前記シャフト部材と連結され、前記第２のベアリング支持部材は、接地軸と連結されて、この接地軸は前記シャフト部材と独立して回転可能に構成されており、前記シャフト部材には、アール部が形成されたカバー部材が固定され、前記コマが傾いた場合に、前記アール部と接地面とが当接し、前記コマを直立させる様に構成されているので、コマの傾斜を防止し、コマを直立させて回転させることができるという卓越した効果がある。
【００７１】
そして本発明は、各種のパーツを交換してチューニングすることができ、多くのテクニックを駆使することができるので、創造性豊かな遊びを提供することができるという卓越した効果がある。
【００７２】
また自分だけのコマを作ることができるので、飽きがなく、興趣溢れるコマ遊びを提供することができるという効果がある。
【００７３】
更に本発明は、自分の体力、技量に合わせた重量バランス等となる様な、自分に最適なコマを組み上げることができるという卓越した効果がある。
【００７４】
【図面の簡単な説明】
【図１】本発明の実施例であるコマの斜視図である。
【図２】本発明の実施例であるコマの斜視図である。
【図３】直立手段を説明する図である。
【図４】本実施例であるコマの内部構造を説明する図である。
【図５】本実施例であるコマの分解図である。
【図６】コマの変形例を説明する図である。
【図７】従来技術を示す図である。
【符号の説明】
１０００  コマ
１００  ボディ部材
１１０  中空部
１２０  ダボ
１３０  溝部
２００  ヘッド部材
２１０  固定ネジ
２２０  調整用ネジ山
３００  ボトム部材
３１０  取付ネジ
３２０  チャンバー
３３０  ウェイトペレット穴
４００  シャフト部材
５００  サスペンションユニット
５１０  弾性調整ネジ
７００  アッパーキャップ
９００  直立手段
９１０  第１のベアリング支持部材
９２０  ボールベアリング
９３０  第２のベアリング支持部材
９４０  カバー部材
９４１  アール部
９５０  接地軸
【図１】
0004336842.tif 000002
【図２】
0004336842.tif 000003
【図３】
0004336842.tif 000004
【図４】
0004336842.tif 000005
【図５】
0004336842.tif 000006
【図６】
0004336842.tif 000007
【図７】
0004336842.tif 000008